(57)【要約】エリア識別装置、方法及び通信システムを提供する。該エリア識別装置は、基地局により送信された、エリアを識別するためのエリア識別情報を受信するステップと、受信された該エリア識別情報と、該ユーザ装置に現在記憶されているエリア識別情報とを比較するステップと、比較の結果に基づいて、該ユーザ装置の所在するエリアが変更されたか否かを決定するステップとを含む。これによって、ユーザ装置の所在するエリアが変更されたか否か、又はユーザ装置の所在するエリアを効果的に識別することができる。【選択図】図１
2019525667.tif 000002
【特許請求の範囲】
【請求項１】
ユーザ装置に配置されたエリア識別装置であって、
基地局により送信された、エリアを識別するためのエリア識別情報を受信する情報受信手段と、
受信された前記エリア識別情報と、前記ユーザ装置に現在記憶されているエリア識別情報とを比較する情報比較手段と、
比較の結果に基づいて、前記ユーザ装置の所在するエリアが変更されたか否かを決定するエリア決定手段と、を含む、エリア識別装置。
【請求項２】
前記エリアは、１つ又は複数のトラッキングエリアにより形成され、或いは１つ又は複数のセルにより形成され、或いは１つ又は複数の送受信ポイントのカバレッジエリアにより形成される、請求項１に記載のエリア識別装置。
【請求項３】
前記ユーザ装置は、無線アクセスネットワーク制御状態にあり、
前記無線アクセスネットワーク制御状態は、アイドル状態、或いは接続状態、或いはアイドル状態及び接続状態以外の状態である、請求項１に記載のエリア識別装置。
【請求項４】
前記エリア識別情報は、システム情報によりキャリーされ、且つ前記基地局によりブロードキャストメッセージで送信される、請求項１に記載のエリア識別装置。
【請求項５】
前記エリア識別情報は、マスタ情報ブロックによりキャリーされた第１識別情報を含み、
異なる前記第１識別情報は、異なるエリアに対応する、請求項１に記載のエリア識別装置。
【請求項６】
前記マスタ情報ブロックは、指示情報をさらに含み、
前記指示情報は、前記マスタ情報ブロック以外の他のシステム情報に前記エリア識別情報の一部が含まれているか否かを示すためのものである、請求項５に記載のエリア識別装置。
【請求項７】
前記エリア識別情報は、前記他のシステム情報によりキャリーされた第２識別情報をさらに含む、請求項６に記載のエリア識別装置。
【請求項８】
前記情報受信手段は、前記第１識別情報及び前記指示情報を含むマスタ情報ブロックを受信し、
他のシステム情報に前記エリア識別情報の一部が含まれていないことが前記指示情報により示されている場合、前記情報比較手段は、前記マスタ情報ブロックにおける第１識別情報と現在記憶されている第１識別情報とを比較し、
前記エリア決定手段は、比較結果が同一である場合、前記ユーザ装置の所在するエリアが変更されていないと決定する、請求項７に記載のエリア識別装置。
【請求項９】
前記情報受信手段は、前記第１識別情報及び前記指示情報を含むマスタ情報ブロックを受信し、前記第２識別情報を含む他のシステム情報を受信し、
他のシステム情報に前記エリア識別情報の一部が含まれていることが前記指示情報により示されている場合、前記情報比較手段は、前記マスタ情報ブロックにおける第１識別情報と現在記憶されている第１識別情報とを比較し、前記他のシステム情報における第２識別情報と現在記憶されている第２識別情報とを比較し、
前記エリア決定手段は、２つの比較結果が全て同一である場合、前記ユーザ装置の所在するエリアが変更されていないと決定する、請求項７に記載のエリア識別装置。
【請求項１０】
ユーザ装置に配置されたエリア識別装置であって、
基地局により送信された、エリア信号をデスクランブルするためのインデックス情報を受信する情報受信手段と、
前記インデックス情報に基づいてエリアの信号をデスクランブルするエリア探索手段と、
信号のデスクランブル結果に基づいて、前記ユーザ装置が前記エリアに所在するか否かを決定するエリア決定手段と、を含む、エリア識別装置。
【請求項１１】
前記エリアは、１つ又は複数のトラッキングエリアにより形成され、或いは１つ又は複数のセルにより形成され、或いは１つ又は複数の送受信ポイントのカバレッジエリアにより形成される、請求項１０に記載のエリア識別装置。
【請求項１２】
前記エリア探索手段により前記インデックス情報に基づいて前記エリアの信号をデスクランブルすることに成功した場合、前記エリア決定手段は、前記ユーザ装置が前記エリアに所在すると決定し、
前記エリア探索手段により前記インデックス情報に基づいて前記エリアの信号をデスクランブルすることに失敗した場合、前記エリア決定手段は、前記ユーザ装置が前記エリアに所在しないと決定する、請求項１０に記載のエリア識別装置。
【請求項１３】
前記情報受信手段は、前記基地局により送信された、前記インデックス情報を更新する探索ルール情報を受信する、請求項１０に記載のエリア識別装置。
【請求項１４】
前記探索ルール情報に基づいて現在の前記インデックス情報を更新するインデックス更新手段、をさらに含み、
前記エリア探索手段は、更新後のインデックス情報に基づいて前記エリアの信号をデスクランブルする、請求項１３に記載のエリア識別装置。
【請求項１５】
前記エリア探索手段により前記インデックス情報に基づいて前記エリアの信号をデスクランブルすることに成功した場合、前記エリア決定手段は、前記インデックス情報に基づいて前記エリアを決定する、請求項１０に記載のエリア識別装置。
【請求項１６】
前記インデックス情報及び／又は前記探索ルール情報は、前記基地局によりブロードキャストメッセージで送信される、請求項１３に記載のエリア識別装置。
【請求項１７】
前記インデックス情報及び／又は前記探索ルール情報は、前記ユーザ装置が接続状態にある場合、前記基地局により特定メッセージで送信される、請求項１３に記載のエリア識別装置。
【請求項１８】
前記エリア探索手段は、前記ユーザ装置が無線アクセスネットワーク制御状態にある場合、前記インデックス情報に基づいて前記エリアの信号をデスクランブルする、請求項１０に記載のエリア識別装置。
【請求項１９】
前記無線アクセスネットワーク制御状態は、アイドル状態、或いは接続状態、或いはアイドル状態及び接続状態以外の状態である、請求項１８に記載のエリア識別装置。
【請求項２０】
請求項１及び／又は請求項１０に記載のエリア識別装置が配置されているユーザ装置と、
前記ユーザ装置に、エリアを識別するためのエリア識別情報及び／又はエリア信号をデスクランブルするためのインデックス情報を送信する基地局と、を含む、通信システム。
【発明の詳細な説明】
【技術分野】
【０００１】
本発明は、通信技術の分野に関し、特にエリア識別装置、方法及び通信システムに関する。
【背景技術】
【０００２】
ロングタームエボリューション（ＬＴＥ）システム又はＬＴＥ−Ａ（ＬＴＥ  Ａｄｖａｎｃｅｄ）システムでは、ユーザ装置（ＵＥ：Ｕｓｅｒ  Ｅｑｕｉｐｍｅｎｔ）はアイドル（Ｉｄｌｅ）状態又は接続（Ｃｏｎｎｅｃｔｅｄ）状態にある可能性がある。ここで、接続状態にあるユーザ装置はいつでもデータ送信を行うことができるが、アイドル状態にあるユーザ装置は、データ送信の要求がある場合、データ送信を行う前に接続を確立する必要がある。
【０００３】
新しい無線（ＮＲ：Ｎｅｗ  Ｒａｄｉｏ）システム又は第５世代（５Ｇ）システムでは、無線アクセスネットワーク（ＲＡＮ：Ｒａｄｉｏ  Ａｃｃｅｓｓ  Ｎｅｔｗｏｒｋ）制御状態（Ｃｏｎｔｒｏｌ  Ｓｔａｔｅ）が導入され、このＲＡＮ制御状態では、ユーザ装置は、最小限のシグナリングオーバーヘッド、最小限の電力消費及び最小限のリソースコストを有すると共に、ユーザ装置の数を最大限にすることができる。また、ＲＡＮ制御状態にあるユーザ装置は、低遅延でデータ送信を開始することができる。
【０００４】
一方、ＬＴＥシステムでは、トラッキングエリア（ＴＡ：Ｔｒａｃｋｉｎｇ  Ａｒｅａ）はユーザ装置の位置管理を行うことができ、ＴＡはトラッキングエリアＩＤ（ＴＡＩ：Ｔｒａｃｋｉｎｇ  Ａｒｅａ  Ｉｄｅｎｔｉｔｙ）で表される。位置変更による位置更新のシグナリングを減少させるために、複数のＴＡを登録する方法が一般的に採用され、即ち複数のＴＡによりトラッキングエリアリスト（ＴＡＬ：Ｔｒａｃｋｉｎｇ  Ａｒｅａ  Ｌｉｓｔ）を構成し、ＴＡＬをユーザ装置に割り当て、ユーザ装置がＴＡＬ間を移動する際にＴＡ更新プロセスを実行する必要がない。
【０００５】
ネットワークにおいて、モバイル管理エンティティ（ＭＭＥ：Ｍｏｂｉｌｅ  Ｍａｎａｇｅｍｅｎｔ  Ｅｎｔｉｔｙ）は、どのＴＡがユーザ装置に割り当てられるかを決定する。ユーザ装置が新しいＴＡに移動する（即ち、該ＴＡが該ユーザ装置により登録されたＴＡＬに存在しない）場合は、ＴＡ更新プロセスを実行する必要がある。ＭＭＥは、ユーザ装置にＴＡＬを再び割り当て、新たに割り当てられたＴＡＬには元のＴＡＬ内のＴＡが含まれてもよい。
【０００６】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００７】
本発明の発明者の発見により、ＮＲシステム又は５Ｇシステムでは、ＲＡＮ制御状態の特性を考慮すると、現在のＴＡ、ｃｅｌｌ又は送受信ポイント（ＴＲＰ）等は何れも要求を満たすことができず、新しいエリア（ａｒｅａ）の概念を導入する必要がある。ＲＡＮ制御状態にあるユーザ装置があるエリア内にある際に、ダウンリンクデータがサービングゲートウェイからＲＡＮノード（例えば基地局）に到着する場合、該ユーザ装置がページングされる。また、ＲＡＮ制御状態にある該ユーザ装置が該エリア内を移動する場合、移動のネットワーク制御を行う必要がない。
【０００８】
従って、ユーザ装置の所在するエリアが変更されたか否か、又はユーザ装置の所在するエリアを識別することは非常に重要である。しかし、現在は、ユーザ装置の所在するエリアが変更されたか否か、又はユーザ装置の所在するエリアを効果的に識別することができる技術がない。
【０００９】
本発明の実施例は、ユーザ装置の所在するエリアが変更されたか否か、又はユーザ装置の所在するエリアを効果的に識別することができるエリア識別装置、方法及び通信システムを提供する。
【課題を解決するための手段】
【００１０】
本発明の実施例の第１態様では、ユーザ装置に配置されたエリア識別方法であって、基地局により送信された、エリアを識別するためのエリア識別情報を受信するステップと、受信された前記エリア識別情報と、前記ユーザ装置に現在記憶されているエリア識別情報とを比較するステップと、比較の結果に基づいて、前記ユーザ装置の所在するエリアが変更されたか否かを決定するステップと、を含む、エリア識別方法を提供する。
【００１１】
本発明の実施例の第２態様では、ユーザ装置に配置されたエリア識別装置であって、基地局により送信された、エリアを識別するためのエリア識別情報を受信する情報受信手段と、受信された前記エリア識別情報と、前記ユーザ装置に現在記憶されているエリア識別情報とを比較する情報比較手段と、比較の結果に基づいて、前記ユーザ装置の所在するエリアが変更されたか否かを決定するエリア決定手段と、を含む、エリア識別装置を提供する。
【００１２】
本発明の実施例の第３態様では、ユーザ装置に配置されたエリア識別方法であって、基地局により送信された、エリア信号をデスクランブルするためのインデックス情報を受信するステップと、前記インデックス情報に基づいてエリアの信号をデスクランブルするステップと、信号のデスクランブル結果に基づいて、前記ユーザ装置が前記エリアに所在するか否かを決定するステップと、を含む、エリア識別方法を提供する。
【００１３】
本発明の実施例の第４態様では、ユーザ装置に配置されたエリア識別装置であって、基地局により送信された、エリア信号をデスクランブルするためのインデックス情報を受信する情報受信手段と、前記インデックス情報に基づいてエリアの信号をデスクランブルするエリア探索手段と、信号のデスクランブル結果に基づいて、前記ユーザ装置が前記エリアに所在するか否かを決定するエリア決定手段と、を含む、エリア識別装置を提供する。
【００１４】
本発明の実施例の第５態様では、上記の第２態様及び／又は第４態様に記載のエリア識別装置が配置されているユーザ装置と、前記ユーザ装置に、エリアを識別するためのエリア識別情報及び／又はエリア信号をデスクランブルするためのインデックス情報を送信する基地局と、を含む、通信システムを提供する。
【００１５】
本発明の実施例の有益な効果としては、ユーザ装置が基地局により送信されたエリア識別情報を受信し、受信されたエリア識別情報と現在記憶されているエリア識別情報とを比較し、比較の結果に基づいてユーザ装置の所在するエリアが変更されたか否かを決定する。これによって、ユーザ装置の所在するエリアが変更されたか否かを効果的に識別することができる。
【００１６】
また、ユーザ装置が基地局により送信されたインデックス情報を受信し、信号のデスクランブル結果に基づいてユーザ装置が該エリアに所在するか否かを決定する。これによって、ユーザ装置の所在するエリアを効果的に識別することができる。
【００１７】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１９】
なお、本文では、用語「包括／含む」は、特徴、部材、ステップ又は構成要件が存在することを意味し、一つ又は複数の他の特徴、部材、ステップ又は構成要件の存在又は付加を排除しない。
【図面の簡単な説明】
【００２０】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のエリア識別方法を示す図である。
【図２】本発明の実施例１のエリア識別方法を示す他の図である。
【図３】本発明の実施例２のエリア識別装置を示す図である。
【図４】本発明の実施例３のエリア識別方法を示す図である。
【図５】本発明の実施例３のエリア識別方法を示す他の図である。
【図６】本発明の実施例４のエリア識別装置を示す図である。
【図７】本発明の実施例５の通信システムを示す図である。
【図８】本発明の実施例５のユーザ装置を示す図である。
【図９】本発明の実施例５の基地局を示す図である。
【発明を実施するための形態】
【００２１】
以下は、図面を参照しながら本発明の上記及び他の特徴を説明する。下記の説明及び図面に示すように、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。
【００２２】
本願では、基地局は、アクセスポイント、ブロードキャスト送信機、送受信ポイント（ＴＲＰ：ｔｒａｎｓｍｉｓｓｉｏｎ  ｒｅｃｅｐｔｉｏｎ  ｐｏｉｎｔ）、ノードＢ、進化型ノードＢ（ｅＮＢ）等と称されてもよく、これらの一部又は全ての機能を有してもよい。本文では、用語「基地局」が使用される。各基地局は、特定の地理的エリアに通信カバレッジを提供する。用語「セル」は、該用語が使用される文脈に応じて、基地局及び／又はそのカバレッジエリアを意味してもよい。
【００２３】
本願では、移動局又は装置は、「ユーザ装置」（ＵＥ：Ｕｓｅｒ  Ｅｑｕｉｐｍｅｎｔ）と称されてもよい。ＵＥは、固定的なもの又は移動的なものであってもよく、移動局、端末、アクセス端末、ユーザユニット又は局などと称されてもよい。ＵＥは、携帯電話、パーソナルデジタルアシスタント（ＰＤＡ）、無線変復調装置、無線通信装置、ハンドヘルドデバイス、マシンタイプ通信装置、ラップトップコンピュータ、コードレス電話などであってもよい。
【００２４】
本願では、エリアは、１つ又は複数のトラッキングエリア（ＴＡ）により形成されてもよいし、或いは１つ又は複数のセル（ｃｅｌｌ）により形成されてもよいし、或いは１つ又は複数の送受信ポイント（ＴＲＰ）のカバレッジエリアにより形成されてもよい。なお、本願はこれに限定されず、実際の状況に応じてエリアの具体的な内容を定義してもよい。
【００２５】
本願では、ユーザ装置のＲＡＮ制御状態は、アイドル状態であってもよいし、或いは接続状態であってもよいし、或いはアイドル状態及び接続状態以外の新たに定義された状態であってもよい。
【００２６】
＜実施例１＞
本発明の実施例は、ユーザ装置に適用されるエリア識別方法を提供する。図１は本発明の実施例のエリア識別方法を示す図であり、ユーザ装置側から説明する。図１に示すように、該エリア識別方法は以下のステップを含む。
【００２７】
ステップ１０１：ユーザ装置は、基地局により送信された、エリアを識別するためのエリア識別情報を受信する。
【００２８】
ステップ１０２：ユーザ装置は、受信された該エリア識別情報と、該ユーザ装置に現在記憶されているエリア識別情報とを比較する。
【００２９】
ステップ１０３：ユーザ装置は、比較の結果に基づいて、ユーザ装置の所在するエリアが変更されたか否かを決定する。
【００３０】
本実施例では、該基地局はマクロ基地局（例えばｅＮＢ）であってもよく、該マクロ基地局により生成されたマクロセル（例えばＭａｃｒｏ  ｃｅｌｌ）は該ユーザ装置のためにサービスを提供してもよい。或いは、該基地局はピコ基地局であってもよく、該ピコ基地局により生成されたピコセル（例えばＰｉｃｏ  ｃｅｌｌ又はｓｍａｌｌ  ｃｅｌｌ）は該ユーザ装置のためにサービスを提供してもよい。なお、本発明はこれに限定されず、実際の状況に応じて具体的なシナリオを決定してもよい。
【００３１】
本実施例では、ユーザ装置はＲＡＮ制御状態にあってもよい。ここで、該エリア識別情報は、システム情報（ＳＩ：Ｓｙｓｔｅｍ  Ｉｎｆｏｒｍａｔｉｏｎ）によりキャリーされ、且つ前記基地局によりブロードキャストメッセージで送信されてもよい。該エリア識別情報は、例えば該エリアを一意に識別する識別子である。ここで、該エリア識別情報は、ネットワーク側でネットワーク配置及びＴＡ定義の状況に基づいて運用保守管理（ＯＡＭ：Ｏｐｅｒａｔｉｏｎ  Ａｄｍｉｎｉｓｔｒａｔｉｏｎ  ａｎｄ  Ｍａｉｎｔｅｎａｎｃｅ）によりエリア毎に配置されてもよい。
【００３２】
以下は、エリア識別情報がシステム情報によりキャリーされることを一例にして説明する。
【００３３】
本実施例では、エリア識別情報は、マスタ情報ブロック（ＭＩＢ：Ｍａｓｔｅｒ  Ｉｎｆｏｒｍａｔｉｏｎ  Ｂｌｏｃｋ）によりキャリーされた第１識別情報（ｉｄｅｎｔｉｔｙ）を含んでもよく、異なる第１識別情報は、異なるエリアに対応する。例えば、異なる第１識別情報は異なるトラッキングエリアに対応し、即ち、第１識別情報は特定のトラッキングエリアにおいて一意（ｕｎｉｑｕｅ）のものである。
【００３４】
例えば、エリア識別情報がＴＡに跨るものでない場合、ＭＩＢにおいて該エリア識別情報、即ち第１識別情報をキャリーしてもよい。エリア識別情報がＴＡに跨るものである場合、他のシステム情報に該エリア識別情報の他の部分が含まれてもよく、即ち、エリア識別情報は他のシステム情報によりキャリーされた第２識別情報（ｉｄｅｎｔｉｔｙ）をさらに含んでもよい。
【００３５】
本実施例では、ＭＩＢは指示情報をさらに含んでもよく、該指示情報は、ＭＩＢ以外の他のシステム情報（例えばＳＩＢ２）にエリア識別情報の一部が含まれているか否かを示すためのものである。例えば、１ビットを用いて、第２識別情報があるか否かを示してもよい。即ち、該ビットが「１」の場合、第２識別情報があることを示し、該ビットが「０」の場合、第２識別情報がないことを示してもよいし、或いは、該ビットが「０」の場合、第２識別情報があることを示し、該ビットが「１」の場合、第２識別情報がないことを示してもよい。なお、本発明はこれに限定されず、他の表示方式を採用してもよい。
【００３６】
図２は本発明の実施例のエリア識別方法を示す他の図であり、ユーザ装置側から説明する。図２に示すように、該エリア識別方法は以下のステップを含む。
【００３７】
ステップ２０１：ユーザ装置は、基地局から送信された、第１識別情報及び指示情報を含むＭＩＢを受信する。
【００３８】
ステップ２０２：ユーザ装置は該第１識別情報と現在記憶されている第１識別情報とを比較する。両者が同一である場合、ステップ２０３に進み、両者が異なる場合、ステップ２０７に進む。
【００３９】
ステップ２０３：ユーザ装置は、指示情報に基づいて、第２識別情報があるか否かを決定し、第２識別情報がある場合、ステップ２０４に進み、第２識別情報がない場合、ステップ２０６に進む。
【００４０】
ステップ２０４：ユーザ装置は他のシステム情報から第２識別情報を取得する。
【００４１】
ステップ２０５：ユーザ装置は該第２識別情報と現在記憶されている第２識別情報とを比較する。両者が同一である場合、ステップ２０６に進み、両者が異なる場合、ステップ２０７に進む。
【００４２】
ステップ２０６：ユーザ装置は、ユーザ装置の所在するエリアが変更されていないと決定する。
【００４３】
本実施例では、ユーザ装置の所在するエリアが変更されていない場合、ユーザ装置は、有効性タイマ（Ｖａｌｉｄｉｔｙ  Ｔｉｍｅｒ）を再起動してもよい。
【００４４】
ステップ２０７：ユーザ装置は、ユーザ装置の所在するエリアが変更されたと決定する。
【００４５】
本実施例では、ユーザ装置の所在するエリアが変更された場合、ユーザ位置は、エリア更新プロセスを開始し、現在記憶されているエリア識別情報を更新してもよい。この部分に関する具体的な内容は関連技術を参照してもよく、本発明では詳細な説明を省略する。
【００４６】
なお、図２では単に本発明の実施例を例示的に説明し、本発明はこれに限定されない。例えば、各ステップ間の実行順序を適切に調整してもよいし、他のステップを追加し、或いはその中のステップを削除してもよい。
【００４７】
例えば、図２では、受信された第１識別情報と予め記憶された第１識別情報とを比較した後に、第２識別情報があるか否かを決定しているが、第２識別情報があるか否かを決定した後に、受信された第１識別情報と予め記憶された第１識別情報とを比較してもよい。即ち、図２におけるステップ２０２とステップ２０３の実行順序を調整してもよい。当業者は上記内容に基づいて適切に変形を行ってもよく、上記図面の記載に限定されない。
【００４８】
本実施例によれば、ユーザ装置が基地局により送信されたエリア識別情報を受信し、受信されたエリア識別情報と現在記憶されているエリア識別情報とを比較し、比較の結果に基づいてユーザ装置の所在するエリアが変更されたか否かを決定する。これによって、ユーザ装置の所在するエリアが変更されたか否かを効果的に識別することができる。
【００４９】
＜実施例２＞
本発明の実施例は、ユーザ装置に配置されたエリア識別装置を提供し、本実施例の実施例１と同様な内容について説明を省略する。
【００５０】
図３は本発明の実施例のエリア識別装置を示す図であり、図３に示すように、エリア識別装置３００は、情報受信部３０１、情報比較部３０２、及びエリア決定部３０３を含む。
【００５１】
情報受信部３０１は、基地局により送信された、エリアを識別するためのエリア識別情報を受信する。
【００５２】
情報比較部３０２は、受信された該エリア識別情報と、該ユーザ装置に現在記憶されているエリア識別情報とを比較する。
【００５３】
エリア決定部３０３は、比較の結果に基づいて、該ユーザ装置の所在するエリアが変更されたか否かを決定する。
【００５４】
本実施例では、ユーザ装置はＲＡＮ制御状態にあってもよい。該ＲＡＮ制御状態は、アイドル状態、或いは接続状態、或いはアイドル状態及び接続状態以外の状態であってもよい。エリア識別情報は、システム情報によりキャリーされ、且つ基地局によりブロードキャストメッセージで送信されてもよい。なお、本発明はこれに限定されない。
【００５５】
本実施例では、エリア識別情報は、マスタ情報ブロックによりキャリーされた第１識別情報を含み、ここで、異なる第１識別情報は、異なるエリアに対応する。マスタ情報ブロックは、指示情報をさらに含んでもよく、該指示情報は、該マスタ情報ブロック以外の他のシステム情報に該エリア識別情報の一部が含まれているか否かを示すためのものである。エリア識別情報は、他のシステム情報によりキャリーされた第２識別情報をさらに含んでもよい。
【００５６】
１つの態様では、情報受信部３０１は、第１識別情報及び前記指示情報を含むマスタ情報ブロックを受信してもよい。他のシステム情報に前記エリア識別情報の一部が含まれていないことが該指示情報により示されている場合、情報比較部３０２は、該マスタ情報ブロックにおける第１識別情報と現在記憶されている第１識別情報とを比較してもよく、エリア決定部３０３は、比較結果が同一である場合、該ユーザ装置の所在するエリアが変更されていないと決定してもよい。
【００５７】
もう１つの態様では、情報受信部３０１は、該第１識別情報及び該指示情報を含むマスタ情報ブロックを受信し、該第２識別情報を含む他のシステム情報を受信してもよい。他のシステム情報に該エリア識別情報の一部が含まれていることが該指示情報により示されている場合、情報比較部３０２は、該マスタ情報ブロックにおける第１識別情報と現在記憶されている第１識別情報とを比較し、他のシステム情報における第２識別情報と現在記憶されている第２識別情報とを比較してもよく、エリア決定部３０３は、２つの比較結果が全て同一である場合、該ユーザ装置の所在するエリアが変更されていないと決定してもよい。
【００５８】
本実施例によれば、ユーザ装置が基地局により送信されたエリア識別情報を受信し、受信されたエリア識別情報と現在記憶されているエリア識別情報とを比較し、比較の結果に基づいてユーザ装置の所在するエリアが変更されたか否かを決定する。これによって、ユーザ装置の所在するエリアが変更されたか否かを効果的に識別することができる。
【００５９】
＜実施例３＞
本発明の実施例は、ユーザ装置に適用されるエリア識別方法を提供する。図４は本発明の実施例のエリア識別方法を示す図であり、ユーザ装置側から説明する。図４に示すように、該エリア識別方法は以下のステップを含む。
【００６０】
ステップ４０１：ユーザ装置は、基地局により送信された、エリア信号をデスクランブルするためのインデックス情報を受信する。
【００６１】
ステップ４０２：ユーザ装置は該インデックス情報に基づいてエリアの信号をデスクランブルする。
【００６２】
ステップ４０３：ユーザ装置は、信号のデスクランブル結果に基づいて、ユーザ装置が該エリアに所在するか否かを決定する。
【００６３】
本実施例では、該基地局はマクロ基地局（例えばｅＮＢ）であってもよく、該マクロ基地局により生成されたマクロセル（例えばＭａｃｒｏ  ｃｅｌｌ）は該ユーザ装置のためにサービスを提供してもよい。或いは、該基地局はピコ基地局であってもよく、該ピコ基地局により生成されたピコセル（例えばＰｉｃｏ  ｃｅｌｌ又はｓｍａｌｌ  ｃｅｌｌ）は該ユーザ装置のためにサービスを提供してもよい。なお、本発明はこれに限定されず、実際の状況に応じて具体的なシナリオを決定してもよい。
【００６４】
本実施例では、該インデックス情報に基づいて該エリアの信号をデスクランブルすることに成功した場合、該インデックス情報が該エリアに対応すると決定してもよく、即ち、該ユーザ装置が該エリアに所在すると決定してもよい。該インデックス情報に基づいて該エリアの信号をデスクランブルすることに失敗した場合、該インデックス情報が該エリアに対応しないと決定してもよく、即ち、該ユーザ装置が該エリアに所在しないと決定してもよい。
【００６５】
本実施例では、該エリア信号は例えば該エリアの同期信号であってもよく、該インデックス情報は例えば物理層セル識別情報（ＰＣＩ：Ｐｈｙｓｉｃａｌ  Ｃｅｌｌ  Ｉｄｅｎｔｉｔｙ）と類似するインデックスであってもよい。該インデックス情報は、エリアに関連し、対応するエリアの信号をデスクランブルすることができる。該インデックス情報は、ネットワーク側でネットワーク配置及びＴＡ定義の状況に基づいてＯＡＭによりエリア毎に配置されてもよい。なお、本発明はこれに限定されず、例えば他の信号を用いてもよく、また、インデックス情報の具体的な形式も限定されない。
【００６６】
本実施例では、ユーザ装置は、該インデックス情報を更新し、更新後のインデックス情報に基づいて対応するエリアを取得してもよい。
【００６７】
図５は本発明の実施例のエリア識別方法を示す他の図であり、ユーザ装置側から説明する。図５に示すように、該エリア識別方法は以下のステップを含む。
【００６８】
ステップ５０１：ユーザ装置は、基地局により送信された、エリア信号をデスクランブルするためのインデックス情報を受信する。
【００６９】
本実施例では、インデックス情報は、前記基地局によりブロードキャストメッセージで送信されてもよいし、或いは、該ユーザ装置が接続状態にある場合、基地局により特定メッセージで送信されてもよい。本発明はこれに限定されず、実際のシナリオに基づいて具体的な送信方式を決定してもよい。該インデックス情報を取得した後に、ユーザ装置は該インデックス情報を記憶してもよい。
【００７０】
ステップ５０２：ユーザ装置は、基地局により送信された、インデックス情報を更新する探索ルール情報を受信する。
【００７１】
本実施例では、探索ルール情報は、前記基地局によりブロードキャストメッセージで送信されてもよいし、或いは、該ユーザ装置が接続状態にある場合、基地局により特定メッセージで送信されてもよい。本発明はこれに限定されず、実際のシナリオに基づいて具体的な送信方式を決定してもよい。該探索ルール情報を取得した後に、ユーザ装置は該探索ルール情報を記憶してもよい。
【００７２】
ステップ５０３：ユーザ装置は、現在のインデックス情報に基づいてエリアの信号をデスクランブルする。
【００７３】
ステップ５０４：信号に対するデスクランブルに成功したか否かを決定し、成功した場合、ステップ５０５に進み、失敗した場合、ステップ５０６に進む。
【００７４】
本実施例では、例えばユーザ装置がＲＡＮ制御状態にある場合、現在のインデックス情報に基づいて該エリアの同期信号をデスクランブルしてもよい。
【００７５】
ステップ５０５：ユーザ装置は、該インデックス情報が該エリアに対応すると決定する。
【００７６】
ステップ５０６：ユーザ装置は、該インデックス情報が該エリアに対応しないと決定する。
【００７７】
ステップ５０７：ユーザ装置は、該探索ルール情報に基づいて現在のインデックス情報を更新する。
【００７８】
本実施例では、探索ルール情報は例えば左に１ビットだけシフトすることであり、この場合は、ユーザ装置は、現在のインデックス情報（例えばＩｎｄｅｘ  １）を左に１ビットだけシフトさせ、Ｉｎｄｅｘ  ２に更新してもよい。ユーザ装置は、該更新後のインデックス情報を現在のインデックス情報として記憶してもよい。
【００７９】
インデックス情報を更新した後に、ユーザ装置は、ステップ５０３を実行し続け、更新後のインデックス情報に基づいて該エリアの信号をデスクランブルしてもよい。
【００８０】
ステップ５０８：ユーザ装置はインデックス情報に基づいて該エリアを決定する。
【００８１】
例えば、現在のインデックス情報がＩｎｄｅｘ  １であり、且つ該Ｉｎｄｅｘ  １に基づいて該エリアの信号をデスクランブルすることに成功した場合、該エリアがＩｎｄｅｘ  １に対応するエリア（例えばａｒｅａ  １）であると決定してもよい。
【００８２】
本実施例では、ユーザ装置の所在するエリアが変更されていない場合、ユーザ装置は、有効性タイマ（Ｖａｌｉｄｉｔｙ  Ｔｉｍｅｒ）を再起動してもよい。ユーザ装置の所在するエリアが変更された場合、ユーザ位置は、エリア更新プロセスを開始してもよい。この部分に関する具体的な内容は関連技術を参照してもよく、本発明では詳細な説明を省略する。
【００８３】
なお、図５では単に本発明の実施例を例示的に説明し、本発明はこれに限定されない。例えば、各ステップ間の実行順序を適切に調整してもよいし、他のステップを追加し、或いはその中のステップを削除してもよい。当業者は上記内容に基づいて適切に変形を行ってもよく、上記図面の記載に限定されない。
【００８４】
本実施例によれば、ユーザ装置が基地局により送信されたインデックス情報を受信し、信号のデスクランブル結果に基づいてユーザ装置が該エリアに所在するか否かを決定する。これによって、ユーザ装置の所在するエリアを効果的に識別することができる。
【００８５】
＜実施例４＞
本発明の実施例は、ユーザ装置に配置されたエリア識別装置を提供し、本発明の実施例の実施例３と同様な内容について説明を省略する。
【００８６】
図６は本発明の実施例４のエリア識別装置を示す図であり、図６に示すように、エリア識別装置６００は、情報受信部６０１、エリア探索部６０２、及びエリア決定部６０３を含む。
【００８７】
情報受信部６０１は、基地局により送信された、エリア信号をデスクランブルするためのインデックス情報を受信する。
【００８８】
エリア探索部６０２は、該インデックス情報に基づいてエリアの信号をデスクランブルする。
【００８９】
エリア決定部６０３は、信号のデスクランブル結果に基づいて、該ユーザ装置が該エリアに所在するか否かを決定する。
【００９０】
本実施例では、エリア探索部６０２により該インデックス情報に基づいて該エリアの信号をデスクランブルすることに成功した場合、エリア決定部６０３は、該ユーザ装置が該エリアに所在すると決定し、エリア探索部６０２により該インデックス情報に基づいて該エリアの信号をデスクランブルすることに失敗した場合、エリア決定部６０３は、該ユーザ装置が該エリアに所在しないと決定する。
【００９１】
本実施例では、情報受信部６０１は、基地局により送信された、インデックス情報を更新する探索ルール情報を受信してもよい。
【００９２】
図６に示すように、エリア識別装置６００はインデックス更新部６０４をさらに含んでもよい。
【００９３】
インデックス更新部６０４は、該探索ルール情報に基づいて現在の該インデックス情報を更新する。
【００９４】
エリア探索部６０２は、更新後のインデックス情報に基づいて該エリアの信号をデスクランブルしてもよい。
【００９５】
本実施例では、エリア探索部６０２によりインデックス情報に基づいて該エリアの信号をデスクランブルすることに成功した場合、エリア決定部６０４は、該インデックス情報に基づいて該エリアを決定してもよい。
【００９６】
本実施例では、インデックス情報及び／又は探索ルール情報は、該基地局によりブロードキャストメッセージで送信されてもよい。或いは、インデックス情報及び／又は探索ルール情報は、該ユーザ装置が接続状態にある場合、基地局により特定メッセージで送信されてもよい。本発明はこれに限定されず、実際のシナリオに基づいて具体的な送信方式を決定してもよい。
【００９７】
本実施例では、エリア探索部６０２は、該ユーザ装置がＲＡＮ制御状態にある場合、該インデックス情報に基づいて該エリアの信号をスクランブル、且つ／或いはデスクランブルしてもよい。
【００９８】
本実施例によれば、ユーザ装置が基地局により送信されたインデックス情報を受信し、信号のデスクランブル結果に基づいてユーザ装置が該エリアに所在するか否かを決定する。これによって、ユーザ装置の所在するエリアを効果的に識別することができる。
【００９９】
＜実施例５＞
本発明の実施例は通信システムをさらに提供し、実施例１乃至４と同様な内容について説明を省略する。
【０１００】
図７は本発明の実施例の通信システムを示す図であり、図７に示すように、通信システム７００は、基地局７０１及びユーザ装置７０２を含んでもよい。ここで、ユーザ装置７０２には実施例２に記載のエリア識別装置３００が配置されてもよく、基地局７０１はユーザ装置７０２にエリアを識別するためのエリア識別情報を送信してもよく、且つ／或いは、ユーザ装置７０２には実施例４に記載のエリア識別装置６００が配置されてもよく、基地局７０１はユーザ装置７０２にエリア信号をデスクランブルするためのインデックス情報を送信してもよい。
【０１０１】
本発明の実施例は、実施例２に記載のエリア識別装置３００及び／又は実施例４に記載のエリア識別装置６００が配置されているユーザ装置をさらに提供する。
【０１０２】
図８は本発明の実施例のユーザ装置を示す図である。図８に示すように、ユーザ装置８００は、中央処理装置１００及び記憶装置１４０を含んでもよく、記憶装置１４０は中央処理装置１００に接続される。なお、該図は単なる例示的なものであり、電気通信機能又は他の機能を実現するように、他の種類の構成を用いて、該構成を補充又は代替してもよい。ここで、中央処理装置１００は、実施例１及び／又は実施例３に記載のエリア識別方法を実現するように構成されてもよい。
【０１０３】
例えば、中央処理装置１００は、基地局により送信されたエリアを識別するためのエリア識別情報を受信し、受信された該エリア識別情報と該ユーザ装置に現在記憶されているエリア識別情報とを比較し、比較の結果に基づいて、該ユーザ装置の所在するエリアが変更されたか否かを決定するように構成されてもよい。
【０１０４】
また、中央処理装置１００は、基地局により送信されたエリア信号をデスクランブルするためのインデックス情報を受信し、該インデックス情報に基づいてエリアの信号をデスクランブルし、信号のデスクランブル結果に基づいて、該ユーザ装置が該エリアに所在するか否かを決定するように構成されてもよい。
【０１０５】
図８に示すように、ユーザ装置８００は、通信モジュール１１０、入力部１２０、ディスプレイ１６０、及び電源１７０をさらに含んでもよい。ここで、上記構成部の機能は従来技術と類似するため、ここでその説明が省略される。なお、ユーザ装置８００は図８に示す全てのユニットを含む必要がない。また、ユーザ装置８００は、図８に示されていないユニットをさらに含んでもよく、従来技術を参照してもよい。
【０１０６】
本発明の実施例は基地局をさらに提供する。
【０１０７】
図９は本発明の実施例の基地局を示す図である。図９に示すように、基地局９００は、中央処理装置（ＣＰＵ）２００及び記憶装置２１０を含んでもよく、記憶装置２１０は中央処理装置２００に接続される。記憶装置２１０は、各種のデータを記憶してもよいし、情報処理のプログラムをさらに記憶してもよい。中央処理装置２００の制御で該プログラムが実行される。
【０１０８】
例えば、中央処理装置２００は、ユーザ装置に、エリアを識別するためのエリア識別情報及び／又はエリア信号をデスクランブルするためのインデックス情報を送信するように構成されてもよい。
【０１０９】
また、図９に示すように、基地局９００は、送受信機２２０及びアンテナ２３０等をさらに含んでもよい。ここで、上記部材の機能は従来技術と類似し、ここでその説明を省略する。なお、基地局９００は図９に示す全てのユニットを含む必要がない。また、基地局９００は、図９に示されていないユニットをさらに含んでもよく、従来技術を参照してもよい。
【０１１０】
本発明の実施例は、エリア識別装置又はユーザ装置においてプログラムを実行する際に、該エリア識別装置又はユーザ装置に、実施例１及び／又は実施例３に記載のエリア識別方法を実行させる、コンピュータ読み取り可能なプログラムをさらに提供する。
【０１１１】
本発明の実施例は、エリア識別装置又はユーザ装置に、実施例１及び／又は実施例３に記載のエリア識別方法を実行させるためのコンピュータ読み取り可能なプログラムを記憶する、記憶媒体をさらに提供する。
【０１１２】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１１３】
本発明の実施例を参照しながら説明した情報伝送方法は、ハードウェア、プロセッサにより実行されるソフトウェアモジュール、又は両者の組み合わせで実施されてもよい。例えば、図３に示す機能的ブロック図における１つ若しくは複数、又は機能的ブロック図の１つ若しくは複数の組み合わせ（例えば情報受信部、情報比較部、エリア決定部など）は、コンピュータプログラムフローの各ソフトウェアモジュールに対応してもよいし、各ハードウェアモジュールに対応してもよい。これらのソフトウェアモジュールは、図１に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１１４】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１１５】
図面に記載されている機能的ブロック図における一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１１６】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【図１】
2019525667.tif 000003
【図２】
2019525667.tif 000004
【図３】
2019525667.tif 000005
【図４】
2019525667.tif 000006
【図５】
2019525667.tif 000007
【図６】
2019525667.tif 000008
【図７】
2019525667.tif 000009
【図８】
2019525667.tif 000010
【図９】
2019525667.tif 000011
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
ユーザ装置に配置されたエリア識別装置であって、
前記ユーザ装置がアイドル状態及び接続状態以外の無線アクセスネットワーク制御状態にある場合、基地局により送信された、トラッキングエリアの無線アクセスネットワークエリアを示すためのエリア識別情報を受信する情報受信手段と、
受信された前記エリア識別情報と、前記ユーザ装置に現在記憶されているエリア識別情報とを比較する情報比較手段と、
比較の結果に基づいて、前記ユーザ装置の所在するエリアが変更されたか否かを決定するエリア決定手段と、を含む、エリア識別装置。
【請求項２】
前記ユーザ装置の所在するエリアは、１つ又は複数のトラッキングエリアにより形成され、或いは１つ又は複数のセルにより形成される、請求項１に記載のエリア識別装置。
【請求項３】
前記エリア識別情報は、前記無線アクセスネットワークエリアの第１識別情報を含み、
前記第１識別情報は、前記トラッキングエリアにおいて一意のものである、請求項１に記載のエリア識別装置。
【請求項４】
前記エリア識別情報は、システム情報によりキャリーされ、且つ前記基地局によりブロードキャストメッセージで送信される、請求項１に記載のエリア識別装置。
【請求項５】
前記エリア識別情報は、マスタ情報ブロックによりキャリーされた第１識別情報を含み、
異なる前記第１識別情報は、異なるエリアに対応する、請求項１に記載のエリア識別装置。
【請求項６】
前記マスタ情報ブロックは、指示情報をさらに含み、
前記指示情報は、前記マスタ情報ブロック以外の他のシステム情報に前記エリア識別情報の一部が含まれているか否かを示すためのものである、請求項５に記載のエリア識別装置。
【請求項７】
前記エリア識別情報は、前記他のシステム情報によりキャリーされた第２識別情報をさらに含む、請求項６に記載のエリア識別装置。
【請求項８】
前記情報受信手段は、前記第１識別情報及び前記指示情報を含むマスタ情報ブロックを受信し、
他のシステム情報に前記エリア識別情報の一部が含まれていないことが前記指示情報により示されている場合、前記情報比較手段は、前記マスタ情報ブロックにおける第１識別情報と現在記憶されている第１識別情報とを比較し、
前記エリア決定手段は、比較結果が同一である場合、前記ユーザ装置の所在するエリアが変更されていないと決定する、請求項７に記載のエリア識別装置。
【請求項９】
前記情報受信手段は、前記第１識別情報及び前記指示情報を含むマスタ情報ブロックを受信し、前記第２識別情報を含む他のシステム情報を受信し、
他のシステム情報に前記エリア識別情報の一部が含まれていることが前記指示情報により示されている場合、前記情報比較手段は、前記マスタ情報ブロックにおける第１識別情報と現在記憶されている第１識別情報とを比較し、前記他のシステム情報における第２識別情報と現在記憶されている第２識別情報とを比較し、
前記エリア決定手段は、２つの比較結果が全て同一である場合、前記ユーザ装置の所在するエリアが変更されていないと決定する、請求項７に記載のエリア識別装置。
【請求項１０】
基地局に配置されたエリア識別装置であって、
ユーザ装置がアイドル状態及び接続状態以外の無線アクセスネットワーク制御状態にある場合、前記ユーザ装置に、トラッキングエリアの無線アクセスネットワークエリアを示すためのエリア識別情報を送信する情報送信手段、を含む、エリア識別装置。
【請求項１１】
前記ユーザ装置の所在するエリアは、１つ又は複数のトラッキングエリアにより形成され、或いは１つ又は複数のセルにより形成される、請求項１０に記載のエリア識別装置。
【請求項１２】
前記エリア識別情報は、前記無線アクセスネットワークエリアの第１識別情報を含み、
前記第１識別情報は、前記トラッキングエリアにおいて一意のものである、請求項１０に記載のエリア識別装置。
【請求項１３】
前記エリア識別情報は、システム情報によりキャリーされ、且つ前記基地局によりブロードキャストメッセージで送信される、請求項１０に記載のエリア識別装置。
【請求項１４】
前記エリア識別情報は、マスタ情報ブロックによりキャリーされた第１識別情報を含み、
異なる前記第１識別情報は、異なるエリアに対応する、請求項１０に記載のエリア識別装置。
【請求項１５】
前記マスタ情報ブロックは、指示情報をさらに含み、
前記指示情報は、前記マスタ情報ブロック以外の他のシステム情報に前記エリア識別情報の一部が含まれているか否かを示すためのものである、請求項１４に記載のエリア識別装置。
【請求項１６】
前記エリア識別情報は、前記他のシステム情報によりキャリーされた第２識別情報をさらに含む、請求項１５に記載のエリア識別装置。
【請求項１７】
前記情報送信手段は、前記第１識別情報及び前記指示情報を含むマスタ情報ブロックを送信する、請求項１６に記載のエリア識別装置。
【請求項１８】
前記情報送信手段は、前記第１識別情報及び前記指示情報を含むマスタ情報ブロックを送信し、前記第２識別情報を含む他のシステム情報を送信する、請求項１６に記載のエリア識別装置。
【請求項１９】
トラッキングエリアの無線アクセスネットワークエリアを示すためのエリア識別情報を送信する基地局と、
ユーザ装置がアイドル状態及び接続状態以外の無線アクセスネットワーク制御状態にある場合、前記エリア識別情報を受信し、受信された前記エリア識別情報と前記ユーザ装置に現在記憶されているエリア識別情報とを比較し、比較の結果に基づいて、前記ユーザ装置の所在するエリアが変更されたか否かを決定する、前記ユーザ装置と、を含む、通信システム。
【国際調査報告】
2019525667.tif 000012
2019525667.tif 000013
2019525667.tif 000014
2019525667.tif 000015